(57)【要約】【課題】  空気調和機において、一部の圧縮機が停止状態にある場合であっても停止状態の圧縮機の吸入管に油を滞留するのを確実に抑制し、停止状態の圧縮機を起動する際にオイル圧縮により圧縮機が破損するのを確実に抑制できる空気調和機を提供すること。【解決手段】空気調和時に連続運転される第１の圧縮機３と、空気調和時に必要に応じて前記第１の圧縮機と並列に運転される一方、停止時のシェル内部圧力が吸入圧力より高く保持される少なくとも１台の他の圧縮機１６とを備えた高圧シェル方式複数圧縮機を搭載する空気調和機であって、前記第１の圧縮機のシェルの吸入管と前記他の圧縮機のシェルの吸入管とがバイパス管で接続されていることを特徴とする。【選択図】        図１
2006010286.tif 000002
【特許請求の範囲】
【請求項１】
空気調和時に連続運転される第１の圧縮機と、空気調和時に必要に応じて前記第１の圧縮機と並列に運転される一方、停止時のシェル内部圧力が吸入圧力より高く保持される少なくとも１台の他の圧縮機とを備えた高圧シェル方式複数圧縮機を搭載する空気調和機であって、
前記第１の圧縮機のシェルの吸入管と前記他の圧縮機のシェルの吸入管とがバイパス管で接続されていることを特徴とする空気調和機。
【発明の詳細な説明】
【技術分野】
【０００１】
本発明は、高圧シェル型の複数の圧縮機を備えた空気調和機に関する。
【背景技術】
【０００２】
従来、室内等の空気調和を行うために使用される空気調和機の一例として、複数台の高圧シェル型圧縮機を並列に接続して構成される空気調和機が知られている。
【０００３】
このような構成の空気調和機は、室内等の空気調和を行う場合に複数台の圧縮機のうちの少なくとも一台の圧縮機を連続運転するとともに、必要に応じて他の残りの圧縮機を追加運転して、室内等を快適な温度、湿度に空気調和するようになっている。
【０００４】
しかし、上記のような構成の空気調和機にあっては、冷暖房負荷が小さい場合には、一部の圧縮機が運転され、それ以外の圧縮機が停止状態とされるため、微少量の高圧ガス冷媒が吐出管から逆止弁を介して停止状態の圧縮機のシェル内に浸入し、シェル内圧力を吸入管圧力よりも高圧（外気温度の飽和圧力又は可変速圧縮機の吐出圧力）となり、シェル内の油を圧縮室から吸入管に押出し吸入管に滞留させてしまう。その結果、停止状態の圧縮機を起動する際に、吸入管に滞留していた油が吸入管から流入し、オイル圧縮が発生することによって、圧縮機が破損する虞がある。
【０００５】
そこで、上記のような問題を解決するため、圧縮機の油貯留部（高圧側）と、他の圧縮機の吸入管（低圧側）を相互にバイパスで接続し、各圧縮機の余剰の油を他の圧縮機に移動するとともに、圧縮機における油量不足を防止するように構成した圧縮機が提案されている（例えば、特許文献１参照。）。
【特許文献１】特開２００１−３２４２３０号公報
【発明の開示】
【発明が解決しようとする課題】
【０００６】
しかし、上記のような構成の空気調和機にあっては、前者は、一方の圧縮機が停止している場合に、停止圧縮機の吸入管に圧縮室から押出された油およびバイパスから移動した油が滞留し、停止していた圧縮機を起動する際にオイル圧縮が発生して、圧縮機が破損するという問題点がある。
【０００７】
本発明は、上記のような従来の問題に鑑みなされたものであって、空気調和機において、一部の圧縮機が停止状態にある場合であっても停止状態の圧縮機の吸入管に油が滞留するのを確実に抑制し、停止状態の圧縮機を起動する際にオイル圧縮により圧縮機が破損するのを確実に抑制できる空気調和機を提供することを目的とするものである。
【課題を解決するための手段】
【０００８】
本発明は、上記のような課題を解決するために、以下のような手段を採用している。
請求項１に係る発明は、空気調和時に連続運転される第１の圧縮機と、空気調和時に必要に応じて前記第１の圧縮機と並列に運転される一方、停止時のシェル内部圧力が吸入圧力より高く保持される少なくとも１台の他の圧縮機とを備えた高圧シェル方式複数圧縮機を搭載する空気調和機であって、前記第１の圧縮機のシェルの吸入管と前記他の圧縮機のシェルの吸入管とがバイパス管で接続されていることを特徴とする。
【０００９】
請求項１に係る空気調和機によれば、連続運転される第１の圧縮機の吸入管と、他の圧縮機の吸入管とをバイパス管で接続し、油が連通可能とすることによって、吸入管内に滞留した油を運転中の圧縮機の吸入管に移動する。これにより、停止状態の圧縮機の吸入管に油が滞留することがなくなり、停止状態の圧縮機を起動する際にオイル圧縮が発生することによる圧縮機破損を確実に抑制することができる。
また、移動するのは、油及び吸入ガス冷媒のみであるため、冷暖房の性能への影響がない。
【発明の効果】
【００１０】
空気調和機を運転する場合において、一部の圧縮機が停止状態にある場合であっても停止状態の圧縮機の吸入管に油を滞留するのを確実に抑制し、停止状態の圧縮機を起動する際にオイル圧縮により圧縮機が破損するのを確実に抑制できる。
【発明を実施するための最良の形態】
【００１１】
以下、図面を参照し、本発明の第１の実施の形態について説明する。
図１は、本発明に係る空気調和機を示す図であって、符号１は空気調和機を示している。
空気調和機１は、高圧シェル方式の圧縮機を複数搭載した空気調和機であって、第１の圧縮機３と、第２の圧縮機（他の圧縮機）１６と、熱交換器（図示せず）、アキュムレータ２８とを備えており、これらの機器は制御手段（図示せず）によって運転動作が制御されるようになっている。
【００１２】
第１の圧縮機３は、高圧シェル４と、圧縮機本体８と、駆動モータ９とを備えていて、シェル４の内部には圧縮室５が形成され、シェル４の上部には圧縮室５内外を連通する吐出口６が設けられ、この吐出口６は逆止弁１０を介して吐出管１２に接続され、この逆止弁１０により冷媒が吐出口６から吐出管１２に一方向に流れるようになっている。
また、高圧シェル４の下方側部には吸入口７が設けられ、この吸入口７は吸入配管１１を介してアキュムレータ２８に接続され、アキュムレータ２８側から冷媒が吸入管１１及び吸入口７を介して圧縮室５内に吸い込まれるようになっている。
【００１３】
また、第２の圧縮機１６は室内等の空気調和時に必要に応じて第１の圧縮機３に追加運転されるものであって、高圧シェル１７と、圧縮機本体２１と、駆動モータ２２とを備えていて、シェル１７の内部には圧縮室１８が形成され、シェル１７の上部には圧縮室１８内外を連通する吐出口１９が設けられ、この吐出口１９は逆止弁２３を介して吐出管２５に接続され、この逆止弁２３により冷媒が吐出口１９から吐出管２５に一方向に流れるようになっている。
【００１４】
また、高圧シェル１７の下方側部には吸入口２０が設けられ、この吸入口２０は吸入配管２４を介してアキュムレータ２８に接続され、アキュムレータ２８側から冷媒が吸入管２４及び吸入口２０を介して圧縮室１８内に吸い込まれるようになっている。
圧縮室５、１８の内部には潤滑油１５が所定量充填され、この潤滑油１５により圧縮機本体２１が潤滑されるようになっている。
また、圧縮機本体８、２１は、例えば、ロータリー式の圧縮機が用いられ、冷媒を圧縮するようになっている。
【００１５】
アキュムレータ２８は、熱交換器側から冷媒を回収し、ガス状の冷媒のみを第１の圧縮機３側へ流出させる。アキュムレータ２８により圧縮機本体８が液状の冷媒を圧縮して過負荷になるのが防止される。
これら第１の圧縮機３と第２の圧縮機１６とは、空気調和機の冷媒回路において並列に配置されており、吐出管１２と吐出管２５とは空気調和機の冷媒回路で合流し熱交換器（図示せず）等の冷房または暖房サイクルを経た後、アキュムレータ２８において吸入管１１と吸入管２４とに再び分岐されている。
【００１６】
第１の圧縮機３のシェル４の吸入管１１と、第２の圧縮機１６のシェル１７の吸入管２４とはバイパス管２６で接続されている。
また、図示はしないが、吸入管１１、２４とバイパス管２６との接続は、市販されている標準の継手（例えば、ニップル等）を吸入管１１、２４に設けられた孔にネジ加工、又は溶接等により行われる。
【００１７】
次に、空気調和機１の作用について説明する。
冷暖房負荷が小さい場合には、例えば第１の圧縮機３のみが連続運転され、第２の圧縮機１６が停止状態とされるため、微少量の高圧ガス冷媒が吐出管２５から逆止弁２３を介して停止状態の第２の圧縮機１６のシェル１７内に浸入し、シェル１７内の圧力を吸入管２４の圧力よりも高圧（外気温度の飽和圧力又は可変速圧縮機の吐出圧力）にする。その結果、シェル１７内の潤滑油１５の一部が圧縮室１８から吸入管２４に押出される。
圧縮室１８から吸入管２４に押出された潤滑油１５は、第１の圧縮機３が吸入管２４から冷媒を吸引する力によって、バイパス管２６を通って運転中の第１の圧縮機３の吸入管１１に移動する。
【００１８】
上記実施の形態の空気調和機１によれば、連続運転される第２の圧縮機１６の圧縮室１８から吸入管２４に押出された潤滑油１５は、バイパス管２６を通って運転中の第１の圧縮機３の吸入管１１に移動するので、停止状態の第２の圧縮機１６の吸入管２４内に潤滑油１５が滞留することがなくなり、停止状態の第２の圧縮機１６を起動する際にオイル圧縮により第２の圧縮機１６が破損するのを確実に抑制することができる。
また、移動するのは、油及び吸入ガス冷媒のみであるため、冷暖房の性能への影響がない。
また、均圧管又は均油管のいずれかが必要ないため、圧縮機標準品を使用することができ、製造コストを低減することができる。
【００１９】
なお、上記実施の形態においては、圧縮機が２台の場合について説明したが、圧縮機については、２台に限らず、３台以上としてもよい。
また、圧縮機本体８、２１は、往復動式、ロータリー式、スクロール式等、何れの方式のものであっても良い。
【図面の簡単な説明】
【００２０】
【図１】本発明に係る空気調和機の一実施の形態を示した構成図である。
【符号の説明】
【００２１】
１  空気調和機
３  第１の圧縮機
４、１７  シェル
５、１８  圧縮室
６、１９  吐出口
７、２０  吸入口
８、２１  圧縮機本体
９、２２  駆動モータ
１０、２３  逆止弁
１１、２４  吸入管
１２、２５  吐出管
１５  潤滑油
１６  第２の圧縮機
２６  バイパス管
２８  アキュムレータ
【図１】
2006010286.tif 000003